(57)【特許請求の範囲】
【請求項１】
釣竿の先端部を覆って該釣竿を保護する保護本体と、該保護本体を前記釣竿に縛り付けるべく一端部を前記釣竿に巻き付けることができる巻付体とを備え、
該巻付体は、保護本体の内面の横方向途中位置よりも他端部側の所定位置にて前記保護本体の内面に取り付けられており、前記横方向途中位置と前記所定位置との間の領域が巻付体の巻き付けの径方向内方側に膨出していることを特徴とする釣竿保護具。
【発明の詳細な説明】
【技術分野】
【０００１】
本発明は、釣竿を保護することができる釣竿保護具、より詳しくは、釣竿の先端部を保護することができる釣竿保護具に関する。
【背景技術】
【０００２】
従来、この種釣竿保護具としては、釣竿の先端部を覆って該釣竿を保護する保護本体部と、該保護本体部を前記釣竿に縛り付けるべく前記釣竿に巻き付けることができる巻付部とを備え、前記保護本体部には、舌片状の連結部が一体的に形成されており、前記巻付部は、前記連結部から横方向に帯状に延設されて該連結部に一体的に形成されてなるものが知られている。
【０００３】
かかる釣竿保護具は、一本又は複数本の釣竿の先端部を保護本体部にて覆い、当該釣竿に巻付部を巻き付けて前記保護本体部を釣竿に縛り付けることで釣竿に装着する（下記特許文献１参照）。
【特許文献１】特開２００７−２０２４５６号公報
【発明の開示】
【発明が解決しようとする課題】
【０００４】
しかしながら、上記従来の釣竿保護具にあっては、巻付部が連結部から横方向に延設されて該連結部に一体的に形成されているので、例えば保護する釣竿の本数が少ない場合などには、巻付部を釣竿に巻き付けても釣竿と巻付部との間に隙間が形成される場合がある。
【０００５】
そうすると、巻付部の巻き付けによって釣竿を保持することができず、保護本体部をしっかりと釣竿に縛り付けることができないため、釣竿保護具の釣竿への装着が不安定となる。その結果、釣竿保護具が不用意に釣竿から外れてしまい、釣竿が破損したり損傷したりする虞がある。
【０００６】
そこで、本発明は上記実情に鑑みてなされ、確実に釣竿に装着することができて釣竿を保護することができる釣竿保護具を提供することを課題とする。
【課題を解決するための手段】
【０００７】
本発明は、上記課題を解決すべくなされたものであり、本発明に係る釣竿保護具は、釣竿の先端部を覆って該釣竿を保護する保護本体と、該保護本体を前記釣竿に縛り付けるべく一端部を前記釣竿に巻き付けることができる巻付体とを備え、該巻付体は、保護本体の内面の横方向途中位置よりも他端部側の所定位置にて前記保護本体の内面に取り付けられており、前記横方向途中位置と前記所定位置との間の領域が巻付体の巻き付けの径方向内方側に膨出していることを特徴とする。
【０００８】
該構成の釣竿保護具にあっては、前記巻付体が、前記保護本体の内面の横方向中途位置にて該内面に取り付けられており、前記横方向中途位置よりも前記一端部側の領域が前記保護本体に取り付けられていないので、保護本体にて先端部が覆われた釣竿に巻付体を巻き付けようとすると、前記横方向中途位置よりも一端部側の領域が当該横方向中途位置を起点に保護本体の内面から離間し、巻付体が横方向中途位置にて屈曲する。
【０００９】
そうすると、かかる屈曲部分にて当該釣竿を挟み込んで保持した状態で巻付体を巻き付けることができるので、当該巻付体にて保護本体をしっかりと釣竿に縛り付けることができる。尚、本発明の釣竿保護具は、一本の釣竿にも複数本の釣竿を束ねたものにも使用することができ、或いは、例えば一本の並継竿を複数に分割して束ねたものにも使用することができる。
【００１１】
該構成の釣竿保護具にあっては、保護本体にて先端部が覆われた釣竿に巻付体を巻き付ける際に、前記横方向中途位置及び前記所定位置の間の前記巻き付けの径方向内方側に膨出している領域と前記横方向中途位置よりも一端部側の領域とで釣竿を挟み込んで保持することができ、保護本体をしっかりと釣竿に縛り付けることができる。
【発明の効果】
【００１２】
このように、本発明に係る釣竿保護具にあっては、巻付体が、保護本体の内面の横方向中途位置にて該内面に取り付けられており、前記横方向中途位置よりも一端部側の領域が保護本体に取り付けられていないので、保護本体にて先端部が覆われた釣竿に巻付体を巻き付ける際に、巻付体が横方向中途位置にて屈曲して該屈曲部分で当該釣竿を挟み込んで保持することができて、当該巻付体にて保護本体をしっかりと釣竿に縛り付けることができる結果、確実に釣竿に装着することができて釣竿を保護することができるという効果を奏する。
【発明を実施するための最良の形態】
【００１３】
以下、本発明に係る釣竿保護具の一実施形態について図面を参酌しつつ説明する。
図１に、本実施形態における釣竿保護具１が示されている。該釣竿保護具１は、例えば、一本の釣竿、又は、複数本の釣竿や所謂並継竿を複数に分割したもの等を束ねた釣竿群の先端部を覆って保護することができるものであり、釣竿の先端部を覆って該釣竿を保護する保護本体２と、該保護本体２を前記釣竿に縛り付けるべく一端部を前記釣竿に巻き付けることができる巻付体７とを備える。
【００１４】
保護本体２は、前後に対向する前面部３と後面部４とを備える袋体である。具体的には、前面部３と後面部４とは、各々の上端部同士３１，４１が接続されている一方で、下端部同士３２，４２は接続されていない。また、各々の一側端部同士３３，４３は、上部側の一部分が接続されている一方で、該一部分よりも下部側は接続されていない。更に、各々の他側端部同士３４，４４は一体的に連続している。
【００１５】
即ち、保護本体２は、少なくとも下端部２１が開口部２０となっている袋体であり、具体的には、縦方向底部である下端部２１から横方向一端部２２にかけて開口部２０となっている袋体である。尚、本実施形態では、保護本体２は、一枚の生地を、その両側端部同士が対向するように折り返して形成されており、柔軟性と伸縮性とクッション性とを備え、更に、少なくとも後面部４の内面４ａ、本実施形態では保護本体２の内面２ａ全体が滑り性を有している。尚、保護本体２は、前面部３となる生地と後面部４となる生地とを含む複数の生地で構成してもよい。
【００１６】
また、保護本体２には、前記開口部２０の一端部側の領域を閉じることができる巻付部５が形成されている。具体的には、巻付部５は、前記後面部４の一側端部４３に舌片状に外方へ延設されて形成されており、後面部４と一体に形成されている。本実施形態では、巻付部５は、後面部４の一側端部４３のうちの前面部３の一側端部３３と接続されていない部分の上部に形成されている。
【００１７】
かかる巻付部５は、保護本体２の他端部側に折り返して、その内面５ａを保護本体２の外面２ｂに止着することで、前記開口部２０の一端部側を閉じることができるように構成されている。具体的には、巻付部５は、後面部４の一側端部４３を支点に他側端部４４側に折り返し、その内面５ａを前面部３の外面３ａに止着することで前記開口部２０の一端部側を閉じることができる。尚、巻付部５の延設方向の長さは、保護本体２の横方向の周方向長さよりも短くなっている。また、巻付部５の内面５ａには面ファスナーの一方側６１が取り付けられており、前面部３の外面３ａの所定位置には、巻付部５に設けられている面ファスナーの一方側６１と対を成す他方側６２が設けられている。
【００１８】
巻付体７は、図１、図２（Ａ）及び（Ｂ）に示すように、伸縮性を有し、釣竿の周囲に巻き付けることができるように構成されており、本実施形態では巻き付け方向に長い帯状体である。尚、図２（Ａ）は、保護本体２を横方向に展開した状態を示す正面図である。この巻付体７は、巻き付けたときに内側となる裏面７ａの一部又は全部が滑止性を有し、巻き付けたときに外側となる表面７ｂの一部又は全部が巻き付け方向の一端部７１を止着することができるように構成されている。具体的には、巻付体７は、表裏二層構造となっており、その裏面７ａ側は、例えばクロロプレンゴム層にて構成されており、該層の巻き付け方向一端部７１（長手方向一端部）には面ファスナーの一方側８１が設けられている。一方、表面７ｂ側は、例えば前記面ファスナーの一方側８１と対を成す他方側８２にて構成されている。即ち、本実施形態における巻付体７は、裏面７ａ全体が滑止性を有し、表面７ｂ全体が巻き付け方向一端部７１を止着することができるように構成されている。尚、巻付体７の長手方向の長さは、特に限定されないが、本実施形態では、保護本体２の周方向の長さよりも長くなっている。
【００１９】
かかる巻付体７は、その巻き付け方向の一端部７１が保護本体２の横方向外方に突出するように保護本体２の内面２ａに取り付けられている。具体的には、巻付体７は、その巻き付け方向が保護本体２の横方向に沿うと共に巻き付けたときの外面（表面７ｂ）が保護本体２の内面２ａに対向し、更に巻き付け方向の一端部７１が保護本体２の開口部２０の一端部側の領域から外方へ突出するように、保護本体２の内面２ａに取り付けられている。
【００２０】
本実施形態では、巻付体７は、巻き付け方向の中途位置に形成される第一取付部１０と、該第一取付部１０よりも巻き付け方向他端部７２側に形成される第二取付部１１とで保護本体２の内面２ａに取り付けられている。尚、第一取付部１０及び第二取付部１１は、巻付体７が保護本体２の内面２ａに縫着されることによって形成される縫い目であり、何れも、巻付体７の幅方向全域に亘るように形成されている。尚、各図において、第一取付部１０と第二取付部１１とは、太い実線又は鎖線にて示している。
【００２１】
より詳細に説明すると、第一取付部１０は、巻付体７の巻き付け方向の中途部分が保護本体２の内面２ａの横方向中途部分に縫い付けられることによって形成されている。本実施形態では、第一取付部１０は、巻付体７の巻き付け方向中央部よりも他端部７２側の位置で、且つ、前記内面２ａの横方向中央部よりも後面部４側の位置に形成されている。
【００２２】
そして、巻付体７は、この第一取付部１０よりも一端部７１側の領域９１が保護本体２に取り付けられていない。即ち、第一取付部１０と後面部４の一側端部４３との間の領域９１においては、巻付体７と保護本体２とは縫い付けられておらず、従って、巻付体７は、第一取付部１０よりも一端部７１側が自由端となっており、保護本体２の内面２ａに接離可能となっている。
【００２３】
一方、第二取付部１１は、巻付体７の巻き付け方向の他端部７２が保護本体２の内面２ａに縫い付けられることによって形成されている。本実施形態では、第二取付部１１は、巻付体７の他端部７２が前記内面２ａの横方向中央部よりも前面部３側に縫い付けられることによって形成されている。従って、巻付体７の他端部７２は保護本体２の内部に位置している。
【００２４】
ここで、巻付体７の第一取付部１０と第二取付部１１との間の領域９２は、巻き付けの径方向内方側に膨出している。具体的には、第一取付部１０と第二取付部１１との間の領域９２では、巻付体７と保護本体２とは縫い付けられておらず、しかも、巻付体７の第一取付部１０と第二取付部１１との間の領域９２は巻き付けの径方向内方側に湾曲している。尚、巻付体７の当該領域９２と保護本体２の内面２ａとは離間しており、その間に隙間Ｘが形成されている。
【００２５】
つまり、巻付体７は、第一取付部１０と第二取付部１１との間の領域９２で、巻き付け方向にダブらせた状態で保護本体２の内面２ａに取り付けられており、従って、巻付体７の第一取付部１０と第二取付部１１との間の領域９２の長さは、保護本体２の内面２ａの第一取付部１０と第二取付部１１との間の領域の長さよりも長くなっている。
【００２６】
以上の構成の釣竿保護具１を、例えば並継竿を分割して各パーツを束ねた釣竿Ｒに装着するには以下のようにする。即ち、図３乃至５に示すように、まず、前記束ねた釣竿Ｒの先端部に保護本体２を被せる。具体的には、保護本体２の開口部２０から前記束ねた釣竿Ｒの先端部を差し込む。そして、巻付部５を釣竿Ｒの周囲に巻き付けて前面部３に止着し、開口部２０の一端部側を閉じる。そして、巻付体７を釣竿Ｒの周囲に巻き付け、その一端部７１を表面７ｂに止着して、保護本体２を釣竿Ｒに縛り付ける。具体的には、巻付体７を、保護本体２の内面２ａに対向する面（表面７ｂ）とは反対側の面（裏面７ａ）が内側となるように釣竿Ｒに巻き付けて、保護本体２の下端部２１を釣竿Ｒに縛り付ける。こうして、釣竿保護具１は、釣竿Ｒの先端部に装着される。
【００２７】
ここで、巻付体７は、第一取付部１０よりも巻き付け方向一端部７１側の領域９１が保護本体２に取り付けられておらず、保護本体２の内面２ａに対し接離可能となっているので、巻付体７を巻き付けようとすると、前記第一取付部１０よりも一端部７１側の領域９１が当該第一取付部１０を起点に保護本体２の内面２ａから離間し、巻付体７が第一取付部１０を起点にして屈曲する（図４参照）。
【００２８】
そうすると、かかる屈曲部分、つまり第一取付部１０よりも一端部７１側と他端部７２側とで釣竿Ｒを挟み込んで保持した状態で巻付体７を巻き付けることができる。よって、巻付体７にて保護本体２をしっかりと釣竿Ｒに縛り付けることができ、従って、釣竿保護具１を確実に釣竿Ｒに装着することができて当該釣竿Ｒを保護することができる。
【００２９】
しかも、巻付体７は、前記第一取付部１０よりも他端部７２側に第二取付部１１が形成されており、前記第一取付部１０と前記第二取付部１１との間の領域９２が巻付体７の巻き付けの径方向内方側に湾曲しているので、巻付体７を釣竿Ｒに巻き付ける際に、巻付体７の当該湾曲している領域９２にて釣竿Ｒを押えつつ第一取付部１０よりも一端部７１側の領域９１との間で釣竿Ｒを挟み込むことができ、確実に釣竿Ｒを保持することができる。よって、保護本体２をしっかりと釣竿Ｒに縛り付けることができる。
【００３０】
また、巻付体７の第一取付部１０と第二取付部１１との間の領域９２が巻き付けの径方向内方側に湾曲していると、釣竿Ｒを押える面積が大きくなるので、より確実に保護本体２を釣竿Ｒに縛り付けることができる。
【００３１】
更に、保護本体２の内面２ａが滑り性を有し、巻付体７の裏面７ａが滑止性を有するので、保護本体２を釣竿Ｒの先端部に被せる際には、保護本体２の内面２ａの滑り性によってスムーズに被せることができる一方で、装着した状態では、巻付体７の裏面７ａの滑止性によって不用意に釣竿保護具１が釣竿Ｒから外れてしまうのを有効に防止することができる。
【００３２】
尚、本実施形態では、巻付体７が伸縮性を有する場合について説明したが、これに限らず、伸縮性を有しなくてもよい。但し、伸縮性を有することにより、保護本体２を確実に釣竿Ｒに縛り付けることができるという利点がある。
【００３３】
また、本実施形態では、第一取付部１０と第二取付部１１とで巻付体７を保護本体２の内面に取り付ける場合について説明したが、これに限らず、第二取付部１１を設けず第一取付部１０のみで取り付けることもできる。この場合、第一取付部１０を巻付体７の巻き付け方向の他端部に設けることも可能である。
【００３４】
更に、本実施形態では、巻付体７の他端部が保護本体２の内面に取り付けられる場合について説明したが、これに限らず、保護本体２の外方に突出する場合であってもよい。
【００３５】
また更に、本実施形態では、巻付体７の第一取付部１０と第二取付部１１との間の領域９２が巻き付けの径方向内方側に湾曲している場合について説明したが、これに限らず、巻付体７の第一取付部１０と第二取付部１１との間の領域の厚さが他の部分の厚さよりも前記径方向内方側に厚くなっている場合であってもよい。
【００３６】
尚、巻付体７が、横方向中途位置（第一取付部１０）よりも他端部７２側の所定位置（第二取付部１１）にて保護本体２の内面２ａに取り付けられており、前記横方向中途位置と前記所定位置との間の領域９２が巻付体７の巻き付けの径方向内方側に膨出していれば、仮に、前記横方向中途位置よりも一端部７１側の領域９１が保護本体２の内面２ａに取り付けられている場合であっても、巻付体７を釣竿に巻き付ける際に、前記横方向中途位置及び前記所定位置の間の前記巻き付けの径方向内方側に膨出している領域９２と前記横方向中途位置よりも一端部７１側の領域９１とで釣竿Ｒを挟み込んで保持することができ、保護本体２をしっかりと釣竿に縛り付けることができる。この場合、巻付体７が、前記横方向中途位置よりも一端部側の所定位置にて保護本体２の内面２ａに取り付けられており、前記横方向中途位置と当該所定位置との間の領域９２が巻付体７の巻き付けの径方向内方側に膨出するように構成することもできる。
【図面の簡単な説明】
【００３７】
【図１】本発明の一実施形態に係る釣竿保護具を示す正面図。
【図２】（Ａ）は同釣竿保護具の要部を示す展開図であり、（Ｂ）は（Ａ）のＰ−Ｐ線断面図。
【図３】同釣竿保護具を釣竿に装着した状態を示す正面図。
【図４】巻付体を巻き付け方向に巻き付ける様子を示す断面図。
【図５】巻付体を巻き付けた状態を示す断面図。
【符号の説明】
【００３８】
１…釣竿保護具、２…保護本体、２ａ…保護本体の内面、２ｂ…保護本体の外面、２０…開口部、２１…保護本体の下端部、２２…保護本体の横方向一端部、３…前面部、４…後面部、５…巻付部、７…巻付体、７ａ…巻付体の裏面、７ｂ…巻付体の表面、７１…巻付体の一端部、７２…巻付体の他端部、１０…第一取付部、１１…第二取付部、Ｒ…釣竿
【図１】
0004958763.tif 000002
【図２】
0004958763.tif 000003
【図３】
0004958763.tif 000004
【図４】
0004958763.tif 000005
【図５】
0004958763.tif 000006